(57)【特許請求の範囲】
【請求項１】
複数の分割体を連結して構成され、複数の配管を連結するための管継手を内部に収容可能なカバー本体と、
前記分割体に設けられ、前記配管を挿入可能な配管挿入部と、
前記配管挿入部に設けられ、挿入された前記配管の外周面に密着して前記配管と前記配管挿入部との間をシールする止水部材と、
を備え、
前記分割体の外周面に前記配管を覆う配管保護カバーを係止するための係止部が設けられていることを特徴とする管継手保護カバー。
【請求項２】
複数の配管が連結された管継手と、
前記管継手を内部に収容した請求項１に記載の管継手保護カバーと、
を備えることを特徴とする管継手保護構造。
【発明の詳細な説明】
【技術分野】
【０００１】
本発明は、複数の配管を連結するための管継手を保護する管継手保護カバー及び、この管継手保護カバーを用いた管継手保護構造に関する。
【背景技術】
【０００２】
通常、水道管を住宅などに引き込む際には、土中に埋設された配管（例えば、塩ビ管など）を地上まで立ち上げ、屋内用の配管（例えば、ポリブテン管など）と管継手を介して連結している。しかし、状況によっては、塩ビ管とポリブテン管とを土中で連結する必要がある。この場合には、管継手が土中に埋設されることになるため、土中の水分、油などによって、管継手が劣化する虞がある。このため、管継手、及び管継手と配管との接続部分に防水テープを巻き付けて防水対策としていることがある。しかし、防水テープでは、水分の浸入を完全に防ぐことができず、さらに、掘り返し時などに管継手や、管継手と配管との接続部分が傷付くことも想定される。
【０００３】
これに対して、特許文献１では、土中埋設用地管に覆われた配管同士を連結した継手を、上下に２分割可能な保護カバーを用いて保護している。この保護カバーは、上カバー本体と下カバー本体との接合部分、及び土中埋設用地管と各カバー本体との間にシール材を介在させて、保護カバー内への水分の浸入を防いでいる。
【特許文献１】実願平７−３５８７９号公報
【発明の開示】
【発明が解決しようとする課題】
【０００４】
しかしながら、特許文献１の保護カバーでは、土中埋設用地管を挿入する部分が上下に分割されている、すなわちシール材も上下に分割されているため、この分割部分においてシール材によるシール性が十分に確保できない、つまり、十分な防水性能を確保できない問題があった。
【０００５】
以上のことから、本発明は、管継手を保護するとともに、十分な防水性能を確保する管継手保護カバー及び、この管継手保護カバーを用いた管継手保護構造を提供することを目的とする。
【課題を解決するための手段】
【０００６】
上記目的を達成するために、請求項１に記載の管継手保護カバーは、複数の分割体を連結して構成され、複数の配管を連結するための管継手を内部に収容可能なカバー本体と、前記分割体に設けられ、前記配管を挿入可能な配管挿入部と、前記配管挿入部に設けられ、挿入された前記配管の外周面に密着して前記配管と前記配管挿入部との間をシールする止水部材と、を備え、前記分割体の外周面に前記配管を覆う配管保護カバーを係止するための係止部が設けられていることを特徴としている。
【０００７】
請求項１に記載の管継手保護カバーでは、管継手が、複数の分割体を連結して構成された本体カバーの内部に収容される。これにより、管継手が本体カバーによって保護される。結果、掘り返し時などの衝撃で管継手が傷付くことが防止される。
【０００８】
また、管継手には、配管挿入部に挿入された配管が接続される。挿入された配管の外周面には止水部材が密着して配管と配管挿入部との間がシールされる。これにより、外部から本体カバー内に流体（水、油など）が浸入するのが防止される。
【０００９】
さらに、本発明の管継手保護カバーでは、配管挿入部が各分割体に少なくとも１つ設けられ、本体カバーが複数の分割体を連結して構成（形成）されるため、従来のように、配管挿入部分が分割されることがない。つまり、本発明の管継手保護カバーは、従来のものよりも防水性能に優れる。
【００１１】
また、請求項１に記載の管継手保護カバーでは、配管を覆って保護する配管保護カバーが、分割体の外周面に設けられた係止部に係止される。これにより、掘り返し時などの衝撃で配管保護カバーとカバー本体との間の隙間が大きくなることが防止され、配管及び管継手が衝撃から効果的に保護される。
【００２０】
請求項２に記載の管継手保護構造は、複数の配管が連結された管継手と、前記管継手を内部に収容した請求項１に記載の管継手保護カバーと、を備えることを特徴としている。
【００２１】
請求項２に記載の管継手保護構造では、複数の配管が連結された管継手が管継手保護カバーの内部に収容されて保護されるとともに、管継手保護カバー内への流体の浸入が防止されるため、管継手の傷付き及び劣化が防止される。
【発明の効果】
【００２４】
以上説明したように、本発明の管継手保護カバーによれば、管継手を保護することができるとともに、十分な防水性能を確保することができる。また、本発明の管継手保護構造によれば、衝撃による管継手の傷付き、及び流体の浸入による管継手の劣化を防止することができる。
【発明を実施するための最良の形態】
【００２５】
（第１実施形態）
以下、図面を参照して本発明の管継手保護カバー、及びこの管継手保護カバーを用いた継手保護構造の第１の実施形態について詳細に説明する。まず、第１実施形態の管継手保護カバー３０を用いて保護する管継手１２、及びこの管継手１２によって連結される配管について詳細に説明する。なお、本実施形態の管継手保護構造１０は、管継手保護カバー３０及び管継手１２によって構成される。
【００２６】
（管継手、配管）
図１には、管継手保護カバー３０に覆われて保護された管継手１２が破線にて示されている。この管継手１２は、一方の配管Ｐ１と他方の配管Ｐ２とを連結する、ストレート型の継手である。本実施形態では、配管Ｐ１を塩ビ管、配管Ｐ２をポリブテン管に設定しているため、管継手１２は異径管継手となっている。これは、塩ビ管及びポリブテン管は、呼び径が同じでも、外径及び内径が夫々異なるためである。また、配管Ｐ１及び配管Ｐ２は土中に埋設されるため、夫々可撓性を有する蛇腹上の配管保護カバー２１、２２によって覆われている。なお、本実施形態では、配管Ｐ１を塩ビ管、配管Ｐ２をポリブテン管としているが、本発明はこの構成に限定される必要はなく、配管Ｐ１及び配管Ｐ２は、従来公知の材質のものを使用することができる。また、本実施形態では、管継手１２を呼び径が同じ塩ビ管及びポリブテン管を連結する構成としたが、本発明はこの構成に限定される必要はなく、同種、同呼び径の配管同士を連結する構成としてもよく、同種だが呼び径が異なる配管同士を連結する構成としてもよい。つまり、複数の配管を連結することができれば、従来公知の何れの継手を用いてもよい。
【００２７】
（管継手保護カバー）
図１に示されるように、管継手保護カバー３０は、３つの分割体を連結して構成（形成）されたカバー本体３１を備えている。このカバー本体３１は、内部に管継手１２を収容できるように大きさが設定されている。なお、本実施形態では、カバー本体３１を構成する３つの分割体のうち、中央に位置する略円筒状の分割体を中央分割パーツ３２、中央分割パーツ３２の配管Ｐ１側に連結される略円筒状の分割体を第１分割パーツ３４、中央分割パーツ３２の配管Ｐ２側に連結される略円筒状の分割体を第２分割パーツ３６としている。これらの分割パーツは、夫々雄ねじと雌ねじとの螺合によって連結されている。この雄ねじと雌ねじによる連結は、本実施形態では、図２に示されるように、中央分割パーツ３２の軸方向の両端部に設けられた雄ねじ３２Ａに、第１分割パーツ３４の軸方向の中央分割パーツ３２側の端部に設けられた雌ねじ３４Ａ及び、第２分割パーツ３６の軸方向の中央分割パーツ３２側の端部に設けられた雌ねじ３６Ａが夫々螺合されることでなされている。なお、その他の実施形態では、中央分割パーツ３２に雌ねじが形成され、第１分割パーツ３４及び第２分割パーツ３６に雄ねじが形成されて各分割パーツが連結される構成でもよく、中央分割パーツ３２に雄ねじと雌ねじとが形成され、第１分割パーツ３４及び第２分割パーツには中央分割パーツに形成された雄ねじ又は雌ねじに対応した雌ねじ又は雄ねじが形成されて各分割パーツが連結される構成でもよい。
【００２８】
図１及び図３〜図５に示されるように、第１分割パーツ３４の雌ねじ３４Ａと軸方向反対側の端部は、配管Ｐ１を挿入可能な配管挿入部４４とされている。この配管挿入部４４の内周面には環状の嵌挿溝４５が設けられ、この嵌挿溝４５には、止水部材としての環状のＯリング５４が嵌挿されている。このＯリング５４の内径は、配管Ｐ１の外径よりも小さく設定されており、配管Ｐ１がＯリング５４の内側を挿通すると、Ｏリング５４の内周面が配管Ｐ１の外周面に密着して、配管挿入部４４と配管Ｐ１との間がシールされる。
【００２９】
同様に、第２分割パーツ３６の雌ねじ３６Ａと軸方向反対側の端部は、配管Ｐ２を挿入可能な配管挿入部４６とされている。この配管挿入部４６の内周面には環状の嵌挿溝４７が設けられ、この嵌挿溝４７には、止水部材としての環状のＯリング５６が嵌挿されている。このＯリング５６の内径は、配管Ｐ２の外径よりも小さく設定されており、配管Ｐ２がＯリング５６の内側を挿通すると、Ｏリング５６の内周面が配管Ｐ２の外周面に密着して、配管挿入部４６と配管Ｐ２との間がシールされる。
【００３０】
また、図１に閉めされるように、中央分割パーツ３２には、軸方向と直交する方向に配管Ｐ２を挿入可能な筒状の配管挿入部４２が形成されている。この配管挿入部４２の内周面には環状の嵌挿溝４３が設けられ、この嵌挿溝４３には、止水部材としての環状のＯリング５２が嵌挿されている。このＯリング５２の内径は、配管Ｐ２の外径よりも小さく設定されており、配管Ｐ２がＯリング５２の内側を挿通すると、Ｏリング５２の内周面が配管Ｐ２の外周面に密着して、配管挿入部４６と配管Ｐ２との間がシールされる。なお、本実施形態では、ストレート型の管継手１２を用いるため、中央分割パーツ３２の配管挿入部４２は、不要とされ、蓋体としてのキャップ５０によって閉塞されている。このキャップ５０は、弾性変形可能なゴムで形成され、配管挿入部４２に挿入される部分の外周面が配管挿入部４２の内周面に密着する大きさに設定されている。なお、キャップ５０のその他の構成としては、配管挿入部４２に挿入される部分にＯリングを設け、Ｏリングの外周面と配管挿入部４２の内周面とを密着させて配管挿入部４２を閉塞する構成でもよく、配管挿入部４２に挿入される部分に雄ねじ又は雌ねじを形成し、配管挿入部４２の内周面に雌ねじ又は雄ねじを形成し、これらを螺合させることで配管挿入部４２を閉塞する構成でもよい。また、キャップ５０を円柱状体として、外周面をＯリング５２に密着させて配管挿入部４２を閉塞させる構成としてもよい。
【００３１】
また、各配管挿入部の外周面には、各配管挿入部の周方向に間隔を開けて係止部としての突起６２，６４，６６が夫々設けられている。図３に示されるように、配管挿入部４４に設けられた突起６４は、配管Ｐ１の蛇腹状配管保護カバー２１の内側の凹部に嵌め込める（引掛けられる）ようになっている。同様に、配管挿入部４６に設けられた突起６６は、配管Ｐ２の蛇腹状配管保護カバー２２の内側の凹部に嵌め込める（引掛けられる）ようになっている。なお、本実施形態ではキャップ５０によって閉塞される配管挿入部４２にも突起６２が設けられており、この突起６２は、配管Ｐ２の蛇腹状配管保護カバー２２の内側の凹部に嵌め込める（引掛けられる）ようになっている。
【００３２】
また、３つの分割パーツを連結した状態において、カバー本体３１の外周面が連続した曲面となるように、各分割パーツの外周面の形状が設定されている。さらに、各分割パーツの連結作業時に、捩じ込み完了が判別できる目印兼ねじの緩みを防止可能な係合突起部７０及びこの係合突起部７０に係合する被係合突起部７２が各分割パーツに形成されている。
【００３３】
（施工手順）
次に、管継手保護カバー３０を用いて管継手１２を覆って保護する際の施工手順について説明する。まず、管継手保護カバー３０を各分割パーツに（分割）分解する。次に、土中に埋設されている配管Ｐ１を第１分割パーツ３４の配管挿入部４４に挿入し、配管Ｐ１を覆う蛇腹状の配管保護カバー２２の内側の凹部に突起６４を嵌め込む（引っ掛ける）。これにより、Ｏリング５４の内周面が配管Ｐ１の外周面に密着し、配管挿入部４４と配管Ｐ１との間がシールされるとともに、配管保護カバー２１が突起６４に引っ掛かるため、衝撃などが配管保護カバー２１又は管継手保護カバー３０に加えられても、配管保護カバー２１と管継手保護カバー３０との連結が維持される。
【００３４】
次に、配管Ｐ１を管継手１２に接続する。そして、管継手１２を内部に収容するように中央分割パーツ３２の雄ねじ３２Ａを第１分割パーツ３４の雌ねじ３４Ａに螺合させて、これらの分割パーツを連結する。
そして、土中に埋設されている、又は土中に埋設前の配管Ｐ２を第２分割パーツ３６の配管挿入部４６に挿入し、配管Ｐ２を覆う蛇腹状の配管保護カバー２２の内側の凹部に突起６６を嵌め込む（引っ掛ける）。これにより、Ｏリング５６の内周面が配管Ｐ２の外周面に密着し、配管挿入部４６と配管Ｐ２との間がシールされるとともに、配管保護カバー２２が突起６６に引っ掛かるため、衝撃などが配管保護カバー２２又は管継手保護カバー３０に加えられても、配管保護カバー２２と管継手保護カバー３０との連結が維持される。
【００３５】
その後、配管Ｐ２を管継手１２に接続し、第２分割パーツ３６の雌ねじ３６Ａを中央分割パーツ３２の雄ねじ３２Ａに螺合させて、これらの分割パーツを連結する。これにより、管継手１２が管継手保護カバー３０の内部に収容されて保護される。なお、キャップ５０は、管継手保護カバー３０を組み立てる前、組み立て中、組み立て後の何れのタイミングで取り付けてもよいものとする。
【００３６】
以上、管継手１２が管継手保護カバーによって保護されるため、掘り返し時などの衝撃で管継手１２が傷付くことが防止される。なお、管継手保護カバー３０内に収容される配管Ｐ１及び配管Ｐ２の夫々の一部分も管継手保護カバーによって保護される。また、配管Ｐ１が挿入される配管挿入部４４、及び配管Ｐ２が挿入される配管挿入部４６には夫々Ｏリング５４、Ｏリング５６が設けられているため、外部（土中）から管継手保護カバー３０内へ配管挿入部４４、配管挿入部４６を通って流体（水、油など）が浸入することが防止される。
【００３７】
結果、管継手保護カバー３０は、管継手１２を保護することができるとともに、十分な防水性能を確保することができる。そして、管継手保護カバーを用いた管継手保護構造１０は、衝撃による管継手１２の傷付き、及び流体の浸入による管継手１２の劣化を防止することができる。
【００３８】
また、衝撃などが加えられても、突起６４及び突起６６によって、配管保護カバー２１及び配管保護カバー２２と管継手保護カバー３０との連結が維持されるため、配管Ｐ１、配管Ｐ２及び管継手１２が傷付くことが防止される。さらに、本実施形態では、各分割パーツの連結が雄ねじと雌ねじの螺合によってなされるため、カバー本体３１の分割（分解）又は組み立て作業が簡単なものとなる。
【００３９】
そして、本実施形態では、使用しない配管挿入部４２をキャップ５０で閉塞しているため、配管挿入部４２からの流体の浸入が防止される。また、カバー本体３１の外周面が連続した曲面であることから、この外周面に圧力（衝撃）が作用しても圧力が効果的に分散されて、カバー本体３１、すなわち管継手保護カバー３０の損傷が防止される。
【００４０】
また、本実施形態では、管継手保護カバー３０を用いてストレート型の管継手１２を保護したが、本発明はこの構成に限定される必要はなく、図６に示されるように、管継手保護カバー３０がＴ字型の管継手８２（配管Ｐ１を１本、配管Ｐ２を２本接続可能な継手）を保護してもよい。この場合には、第１実施形態のように配管挿入部４２をキャップ５０で閉塞せずに、配管挿入部４２に配管Ｐ２を挿入して管継手８２に接続し、他の配管Ｐ１、Ｐ２を夫々配管挿入部４４、４６に挿入して管継手８２に接続することで、管継手８２を介して、配管Ｐ１、及び配管Ｐ２を連結することができる。もちろん、第１実施形態と同様に、管継手保護カバー３０は、内部への流体の浸入を防止することができる。
【００４１】
さらに、Ｌ字型の管継手（配管Ｐ１を１本、配管Ｐ２を１本接続可能な継手）を管継手保護カバー３０で保護する場合には、配管挿入部４６をキャップ５０で閉塞し、配管Ｐ２を配管挿入部４２に挿入してＬ字型の管継手に接続し、配管Ｐ１を配管挿入部４４に挿入してＬ字型の管継手に接続することで、Ｌ字型の管継手を介して、配管Ｐ１、及び配管Ｐ２を連結することができる。もちろん、第１実施形態と同様に、管継手保護カバー３０は、内部への流体の浸入を防止することができる。
【００４２】
従って、本発明の管継手保護カバー３０は、管継手の形状（ストレート型、Ｌ型、Ｔ字型）に応じて、使用しない配管挿入部をキャップ５０で閉塞することで、多種の管継手に対応させることができる。これにより、現場などで、管継手の形状が急遽変更になっても、現場にて即時対応可能となり、工期短縮に繋げることができる。
【００４３】
また、例えば、配管Ｐ１同士を連結するストレート型の管継手を本発明の管継手保護カバーで保護する場合には、中央分割パーツ３２の軸方向の両側に第１分割パーツ３４を連結して本体カバーを構成することで、配管Ｐ１同士を連結するストレート型の管継手に対応させることができる。
【００４４】
さらに、第１実施形態では、３つの分割パーツを連結してカバー本体３１を構成したが、本発明はこの構成に限定される必要はなく、図７に示されるように、第１分割パーツと中央分割パーツとが一体的に形成された第３分割パーツ３８と第２分割パーツ３６とを連結してカバー本体３９を構成してもよい。この場合には、カバー本体の部品点数を減らすことができる。
【００４５】
また、第１実施形態では、３つの分割パーツを連結してカバー本体３１を構成したが、本発明はこの構成に限定される必要はなく、中央分割パーツに対応する分割パーツが複数用いられてもよいものとする。この場合には、本発明の管継手保護構造を、複数に分岐する管継手（例えば、配管ヘッダーなど）にも対応させることができる。
【００４６】
上述の実施形態では、例えば、管継手１２と管継手保護カバー３０との間が中空とされたが、本発明はこの構成に限定される必要はなく、管継手１２と管継手保護カバー３０との間に衝撃を吸収する衝撃吸収材（例えば、ゴム片、スポンジなどのクッション材）が配置（収容）されてもよいものとする。この場合には、掘り返し時の衝撃が管継手保護カバー３０に加えられても、衝撃吸収材が衝撃を吸収するため、管継手１２や、管継手保護カバー３０内の配管Ｐ１及びＰ２が傷付くことが防止される。
【００４７】
また、カバー本体３１を透明又は半透明の樹脂材料にて構成してもよい。なお、このときのカバー本体３１の透明度（光透過度）は、カバー本体３１を透して管継手１２や、配管Ｐ１、Ｐ２が視認できるレベルであることが望ましい。カバー本体３１に透明又は半透明の樹脂材料を用いた場合には、管継手１２の状態や、管継手１２と配管Ｐ１及び配管Ｐ２との接続状態を視認することができるため、メンテナンス性が向上する。
【００４８】
以上、実施形態を挙げて本発明の実施の形態を説明したが、これらの実施形態は一例であり、要旨を逸脱しない範囲内で種々変更して実施できる。また、本発明の権利範囲がこれらの実施形態に限定されないことは言うまでもない。
【図面の簡単な説明】
【００４９】
【図１】本発明の第１実施形態の配管保護構造を示す斜視図である。
【図２】第１実施形態の管継手保護カバーの連結部分のねじ構造を示す断面図である。
【図３】管継手保護カバーに配管カバーが装着された状態を示す断面図である。
【図４】図１のＡ−Ａ線断面図である。
【図５】図１のＢ−Ｂ線断面図である。
【図６】本発明の配管保護構造の変形例である。
【図７】本発明の管継手保護カバーの変形例である。
【符号の説明】
【００５０】
１０   管継手保護構造
１２、８２    管継手
２１   配管保護カバー
２２   管保護カバー
３０   管継手保護カバー
３１   カバー本体
３２   中央分割パーツ（分割体）
３４   分割パーツ（分割体）
３６   分割パーツ（分割体）
３８   分割パーツ（分割体）
４２、４４、４６     配管挿入部
５０   キャップ（蓋体）
５２、５４、５６     Ｏリング（止水部材）
６２、６４、６６     突起（係止部）
【図１】
0005384022.tif 000002
【図２】
0005384022.tif 000003
【図３】
0005384022.tif 000004
【図４】
0005384022.tif 000005
【図５】
0005384022.tif 000006
【図６】
0005384022.tif 000007
【図７】
0005384022.tif 000008